(57)【要約】【課題】ダンピング作業時にスイングジョイスティックの操作によりブームアップ及びスイング作業を同時に行って操作性を向上させることのできるダンプ駆動制御方法を提供する。【解決手段】本発明によるダンプ駆動制御方法において、半自動ダンピングモードを設定する第１ステップと、スイング方向とブームアップのダンピングの高さを設定する第２ステップと、スイング方向を決定する第３ステップと、決定されたスイング方向のスイングジョイスティックの操作信号値により当該スイングバルブを制御し、且つ、ブームアップを駆動させる第４ステップと、ブームアップの高さが設定されたダンピングの高さに達するとブームアップ駆動は停止され、上部旋回体をダンピング位置にスイングさせる第５ステップと、上部旋回体のスイング方向とは反対方向に上部旋回体がスイングされるようにスイングジョイスティックの操作信号値により当該スイングバルブを駆動する第６ステップと、スイングジョイスティックの操作信号値が入力されないとブームアップとスイング駆動を停止する第７ステップと、を含むことを特徴とするダンプ駆動制御方法。【選択図】図１【特許請求の範囲】
【請求項１】
下部走行体と、前記下部走行体に搭載され、スイングジョイスティックの操作により旋回される上部旋回体と、前記上部旋回体に取り付けられる運転室（キャブ）及びエンジン室と、前記上部旋回体の先端に固定され、作業装置ジョイスティックの操作により駆動されるブーム、アーム、バケットなどの作業装置と、を備える建設機械用ダンプの駆動制御方法において、
入力装置の操作により半自動ダンピングモードを設定する第１ステップと、
ダンピング作業のための前記上部旋回体のスイング方向と、ブームアップのダンピングの高さを設定する第２ステップと、
左側及び右側方向の前記スイングジョイスティックの操作によりそれぞれ入力される操作信号値と、設定値との比較で大小を判断して前記上部旋回体のスイング方向を決定する第３ステップと、
前記第３ステップにより決定されたスイング方向の前記スイングジョイスティックの操作信号値により当該スイングバルブを制御し、前記スイングジョイスティックの操作による操作信号値によりブームアップを駆動する第４ステップと、
前記ブームアップの高さが設定されたダンピングの高さに達するとブームアップ駆動は停止され、前記スイングジョイスティックの操作信号値により前記上部旋回体をダンピング位置にスイングさせる第５ステップと、
前記第３ステップにより決定された前記上部旋回体のスイング方向とは反対方向に前記上部旋回体がスイングさせるように、前記スイングジョイスティックの操作信号値により当該スイングバルブを駆動する第６ステップと、
前記スイングジョイスティックの操作信号値が入力されないと、ブームアップとスイング駆動を停止する第７ステップと、を含むすることを特徴とする建設機械用ダンプの駆動制御方法。
【請求項２】
前記第１ステップにおいて、入力装置として前記運転室内に設けられるモニタが用いられることを特徴とする請求項１に記載の建設機械用ダンプの駆動制御方法。
【請求項３】
前記第２ステップにおけるブームアップダンピングの高さは、前記運転室内に設けられるモニタにより設定及び変更することを特徴とする請求項１に記載の建設機械用ダンプの駆動制御方法。
【請求項４】
前記第２ステップにおけるブームアップダンピングの高さは、前記運転室内に設けられる操作ボタンにより設定及び変更することを特徴とする請求項１に記載の建設機械用ダンプの駆動制御方法。
【請求項５】
前記第１ステップにおいて、入力装置として前記運転室内に設けられる操作ボタンが用いられることを特徴とする請求項１に記載の建設機械用ダンプの駆動制御方法。
【請求項６】
前記第４ステップにおいて、ブームアップ駆動のためにブームアップジョイスティックを操作しない場合にも、ブームのポジションがフィードバックされて設定されたダンピング位置にアップ駆動するように制御することを特徴とする請求項１に記載の建設機械用ダンプの駆動制御方法。
【請求項７】
半自動ダンピング作業を実行するために作業装置を駆動させるブームシリンダーポジションが常に設定された位置に求められる場合、運転者の要求に応じてブームシリンダーポジションの設定及び変更が可能であり、他の作業装置の操作とは関係なくブームシリンダーのポジションを維持できるように制御することを特徴とする請求項１に記載の建設機械用ダンプの駆動制御方法。
【請求項８】
半自動ダンピングモードが設定され、半自動スイング方向に前記スイングジョイスティックの操作によりスイング及びブームアップが同時に操作されると、前記ブームアップジョイスティックを操作するときにブームアップ優先機能が発揮されて、前記スイングジョイスティックの操作によりブームアップソレノイドバルブに制御信号圧を入力するときに比べて、前記ブームアップジョイスティックの操作量に応じて相対的により多くの制御信号圧を入力可能なように構成されることを特徴とする請求項１に記載の建設機械用ダンプの駆動制御方法。
【請求項９】
前記半自動ダンピングモードが設定され、半自動スイング方向に前記スイングジョイスティックの操作によりスイング及びブームアップが同時に操作されると、前記ブームアップジョイスティックを操作するときにも前記ブームアップソレノイドバルブに制御信号圧入力が遮断されるように構成されることを特徴とする請求項１に記載の建設機械用ダンプの駆動制御方法。
【発明の詳細な説明】
【技術分野】
【０００１】
本発明は、建設機械用ダンプの駆動制御方法に係り、さらに詳しくは、掘削機のダンピング作業に際して、スイングジョイスティック（ＲＣＶ ｌｅｖｅｒ）の操作によりブームアップ（ｂｏｏｍ−ｕｐ）及びスイング作業を同時に行って操作性を向上させることのできる建設機械用ダンプの駆動制御方法に関する。
【背景技術】
【０００２】
一般に、掘削機の掘削作業の一部分を占めるダンピング作業を行う際、土を掘り込む掘込み（ｄｉｇｇｉｎｇ）作業が終了し、掘削した土砂物をダンプトラックなどの積載箱に積載するためにダンピング位置まで上部旋回体をスイングさせる。すなわち、上部旋回体のスイングとブームアップのジョイスティックをほぼ同時にそれぞれ操作しながら、ダンピング位置に達するためにスイング角とブームアップの高さを調整することになる。
【０００３】
すなわち、ダンピング作業に際して、運転者は一方の手でスイングジョイスティックを操作し、もう一方の手ではブームアップジョイスティックを操作しながらダンピングの位置と高さを同時に判断するため格別な注意が必要である。これにより、掘削された土砂物をダンピング位置に到達させるためにスイングジョイスティックを操作し、これと同時に、積載箱に対するダンピングの高さを合わせるためにブームアップジョイスティックを操作するため運転者は多くの注意を払うことになる。
【０００４】
例えば、ダンピング位置が運転者の視野角から外れると、ある程度のスイング駆動を行って運転者の視野角内に入ってきた場合にのみブームアップ駆動により正確なダンピング位置を合わせることが可能になる。
【０００５】
このように、ダンピング作業に際して、スイング角とブームアップの高さを合わせて円滑な作業が行われるようにスイングジョイスティックとブームジョイスティックをそれぞれ別々に操作してダンピング位置を確認し、これらのジョイスティックを操作するときに運転者の集中力が必要とされるため運転者の疲労度を増大させる。
【０００６】
また、ダンピング作業を行う間に、積載箱に対するダンピングの高さが合わないと、ブームアップジョイスティックの操作により再びダンピングの高さを合わせるため、作業時間が延びて作業能率が低下するという問題点を有する。
【発明の概要】
【発明が解決しようとする課題】
【０００７】
本発明の課題は、ダンピング作業に際して、スイングジョイスティックの操作によりブームアップ動作及びスイング駆動を同時に行って運転者に操作の利便性を与え、ジョイスティックを操作するときに高度の集中力を必要としないことから運転者の疲労度を低減することのできる建設機械用ダンプの駆動制御方法を提供することである。
【０００８】
本発明の他の課題は、運転者が希望するブームアップの高さを正確に設定して作業することから、ダンピング作業を正確且つ迅速に行って作業性を向上させることのできる建設機械用ダンプの駆動制御方法を提供することである。
【課題を解決するための手段】
【０００９】
本発明の一実施形態による建設機械用ダンプの駆動制御方法は、下部走行体と、下部走行体に搭載され、スイングジョイスティックの操作により旋回される上部旋回体と、上部旋回体に取り付けられる運転室（キャブ）及びエンジン室と、上部旋回体の先端に固定され、作業装置ジョイスティックの操作により駆動されるブーム、アーム、バケットなどの作業装置と、を備える建設機械用ダンプの駆動制御方法において、
入力装置の操作により半自動ダンピングモードを設定する第１ステップと、
ダンピング作業のための上部旋回体のスイング方向と、ブームアップのダンピングの高さを設定する第２ステップと、
左側及び右側方向のスイングジョイスティックの操作によりそれぞれ入力される操作信号値と、設定値との比較で大小を判断して上部旋回体のスイング方向を決定する第３ステップと、
第３ステップにより決定されたスイング方向のスイングジョイスティックの操作信号値により当該スイングバルブを制御し、スイングジョイスティックの操作による操作信号値によりブームアップを駆動する第４ステップと、
ブームアップの高さが設定されたダンピングの高さに達するとブームアップ駆動は停止され、スイングジョイスティックの操作信号値により上部旋回体をダンピング位置にスイングさせる第５ステップと、
第３ステップにより決定された上部旋回体のスイング方向とは反対方向に上部旋回体がスイングするように、スイングジョイスティックの操作信号値により当該スイングバルブを駆動する第６ステップと、
スイングジョイスティックの操作信号値が入力されないとブームアップとスイング駆動を停止する第７ステップと、を含む。 
【００１０】
本発明の好適な実施形態によれば、上述した第１ステップにおいて、入力装置として運転室内に設けられるモニタが用いられてもよい
【００１１】
上述した第２ステップにおけるブームアップダンピングの高さは、運転室内に設けられるモニタにより設定及び変更することができる。 
【００１２】
上述した第２ステップにおけるブームアップダンピングの高さは、運転室内に設けられる操作ボタンにより設定及び変更することができる。
【００１３】
上述した第１ステップにおいて、入力装置として運転室内に設けられる操作ボタンが用いられてもよい。
【００１４】
上述した第４ステップにおいて、ブームアップ駆動のためにブームアップジョイスティックを操作しないときにも、ブームのポジションがフィードバックされて設定されたダンピング位置にアップ駆動するように制御することができる。
【００１５】
上述した半自動ダンピング作業を実行するために作業装置を駆動させるブームシリンダーポジションが常に設定された位置に求められるとき、運転者の要求に応じてブームシリンダーポジションの設定及び変更が可能であり、他の作業装置の操作とは関係なくブームシリンダーのポジションを維持できるように制御することができる。
【００１６】
上述した半自動ダンピングモードが設定され、半自動スイング方向にスイングジョイスティックの操作によりスイング及びブームアップが同時に操作されるとき、ブームアップジョイスティックを操作するときにブームアップ優先機能が発揮されて、スイングジョイスティックの操作によりブームアップソレノイドバルブに制御信号圧を入力する場合に比べて、ブームアップジョイスティックの操作量に応じて相対的により多くの制御信号圧を入力可能なように構成されてもよい。
【００１７】
上述した半自動ダンピングモードが設定され、半自動スイング方向にスイングジョイスティックの操作によりスイング及びブームアップが同時に操作されるとき、ブームアップジョイスティックを操作する場合にもブームアップソレノイドバルブに制御信号圧入力が遮断されるように構成されてもよい。
【発明の効果】
【００１８】
上述したように構成される本発明の実施形態による建設機械用ダンプの駆動制御方法は、下記のメリットを有する。
【００１９】
掘削作業の一部であるダンピング作業時にスイングジョイスティックの操作によりブームアップ及びスイング作業を同時に行って運転者に操作の利便性を与え、ダンピング作業のためのジョイスティックを操作するときに高度の集中力を必要としないので、運転者の疲労度を低減することができる。
【００２０】
また、ダンピング作業時に運転者が希望する正確なブームアップの高さの設定が可能であり、設定が終われば、スイングジョイスティックの操作だけでダンピング位置に容易に達するので、ダンピング作業を速やかに行って作業性を向上させることができる。
【図面の簡単な説明】
【００２１】
【図１】本発明の一実施形態による建設機械用ダンプの駆動制御方法において、上部旋回体を左側方向にスイングさせてダンピング作業する過程を示すフローチャートである。
【図２】本発明の一実施形態による建設機械用ダンプの駆動制御方法において、上部旋回体を右側方向にスイングさせてダンピング作業する過程を示すフローチャートである。
【図３】本発明の一実施形態による建設機械用ダンプの駆動制御方法の制御部の概略図である。
【発明を実施するための形態】
【００２２】
以下、添付図面に基づき、本発明の好適な実施形態について詳述するが、これは本発明が属する技術分野において通常の知識を有する者が発明を容易に実施できる程度に詳細に説明するためのものであり、これにより本発明の技術的な思想及び範疇が限定されることはない。
【００２３】
図１及び図３に示す本発明の一実施形態による建設機械用ダンプの駆動制御方法は、
下部走行体と、下部走行体に搭載され、スイングジョイスティックの操作により旋回される上部旋回体と、上部旋回体に取り付けられる運転室及びエンジン室と、上部旋回体の先端に固定され、作業装置ジョイスティックの操作により駆動されるブーム、アーム、バケットなどの作業装置と、を備える建設機械用ダンプの駆動制御方法において、
入力装置の操作により半自動ダンピングモードを設定する（ｓｅｔ ｓｅｍｉ−ａｕｔｏ ｄｕｍｐｉｎｇ ｍｏｄｅ＝ｏｎ）第１ステップ（Ｓ１００）と、
ダンピング作業のための上部旋回体のスイング方向と、ブームアップのダンピングの高さを設定する第２ステップ（Ｓ２００、Ｓ３００）と、
左側及び右側方向のスイングジョイスティックの操作によりそれぞれ入力される操作信号値と、設定値との比較で大小を判断して上部旋回体のスイング方向を決定する第３ステップ（Ｓ４００）と、
第３ステップ（Ｓ４００）により決定されたスイング方向のスイングジョイスティックの操作信号値により当該スイングバルブを制御し、スイングジョイスティックの操作による操作信号値によりブームアップを駆動する第４ステップ（Ｓ５００）と、
ブームアップの高さが設定されたダンピングの高さに達するとブームアップ駆動は停止され、スイングジョイスティックの操作信号値により上部旋回体をダンピング位置にスイングさせる第５ステップ（Ｓ６００、Ｓ７００）と、
第３ステップ（Ｓ４００）により決定された上部旋回体のスイング方向とは反対方向に上部旋回体がスイングさせるように、スイングジョイスティックの操作信号値により当該スイングバルブを駆動する第６ステップ（Ｓ８００、Ｓ９００）と、
第６ステップ（Ｓ８００、Ｓ９００）により決定されたスイング方向のスイングジョイスティックの操作信号値が入力されず、その反対のスイング方向に操作信号値が入力されると、その反対のスイング方向に入力される操作信号値によりスイング駆動を制御する第７ステップ（Ｓ１０００、Ｓ１１００）と、を含む。そして、ブームアップとＳ２００において、運転者が決定したスイング方向への駆動は解放される（Ｓ１０００、Ｓ１１００）。
【００２４】
このとき、上述した第１ステップ（Ｓ１００）において、入力装置として運転室内に設けられるモニタまたは操作ボタンが用いられてもよい。
【００２５】
上述した第２ステップ（Ｓ２００、Ｓ３００）におけるブームアップダンピングの高さは、運転室内に設けられるモニタまたは操作ボタンにより設定及び変更することができる。
【００２６】
上述した第４ステップ（Ｓ５００）において、ブームアップ駆動のためにブームアップジョイスティックを操作しないときにも、ブームのポジションがフィードバックされて設定されたダンピング位置にアップ駆動するように制御することができる。
【００２７】
上述した半自動ダンピング作業を実行するために作業装置を駆動させるブームシリンダーポジションが常に設定された位置に求められるとき、運転者の要求に応じてブームシリンダーポジションの設定及び変更が可能であり、他の作業装置（アーム、バケットをいう）の操作とは関係なくブームシリンダーのポジションを維持できるように制御することができる。
【００２８】
以下、添付図面に基づき、本発明の好適な実施形態による建設機械用ダンプの駆動制御方法の使用例について詳細に説明する。
【００２９】
図１は、本発明の一実施形態による建設機械用ダンプの駆動制御方法において、上部旋回体を左側方向にスイングさせてダンピング作業する過程を示すフローチャートである。
【００３０】
図１及び図３に示すように、運転者が掘削機の運転室内に設けられるモニタまたは操作ボタンなどの入力装置を操作して半自動ダンピングモードを設定する（ｓｅｔ ｓｅｍｉ−ａｕｔｏ ｄｕｍｐｉｎｇ ｍｏｄｅ＝ｏｎ）。これにより、スイングジョイスティックの操作により上部旋回体のスイングと、ブームアップ駆動を同時に行う作業モードを設定することになる（Ｓ１００参照）。
【００３１】
Ｓ２００に示すように、上部旋回体のスイング方向を設定可能な操作パネルにおいて、ダンピング作業のためのスイング方向が左側方向または右側方向の設定有無を決定するが、上部旋回体を左側方向にスイング駆動させるように設定する場合（ｓｅｔ ｓｅｍｉ−ａｕｔｏ ｓｗｉｎｇ ｄｉｒｅｃｔｉｏｎ＝ｌｅｆｔ）「Ｓ３００」に移行し、上部旋回体を右側方向にスイング駆動させるように設定する場合（ｓｅｔ ｓｅｍｉ−ａｕｔｏ ｓｗｉｎｇ ｄｉｒｅｃｔｉｏｎ＝ｒｉｇｈｔ）は「Ｓ１２００」に移行する。
【００３２】
Ｓ３００に示すように、ブームアップの高さを所望のダンピングの高さＨｔａｒｇｅｔに設定する（ｓｅｔ ｂｏｏｍ−ｕｐ ｈｅｉｇｈｔ＝Ｈｔａｒｇｅｔ）。
【００３３】
これにより、半自動ダンピング作業のための全てのモードの設定が完了する。
【００３４】
Ｓ４００に示すように、運転者の左側方向のスイングジョイスティック１０の操作により制御部１１に入力される操作信号値が設定値Ａよりも大きい場合（ｓｗｉｎｇ ｌｅｆｔ ｊｏｙｓｔｉｃｋ ｃｏｍｍａｎｄ≧Ａ）と、右側方向のスイングジョイスティック１２の操作により制御部１１に入力される操作信号値が設定値Ｂよりも小さい場合（ｓｗｉｎｇ ｒｉｇｈｔ ｊｏｙｓｔｉｃｋ ｃｏｍｍａｎｄ＜Ｂ）に、「Ｓ５００」に移行する。
【００３５】
Ｓ５００に示すように、左側方向のスイングジョイスティック１０の操作による操作信号値が選定（ｓｗｉｎｇ ｌｅｆｔ ｊｏｙｓｔｉｃｋ ｃｏｍｍａｎｄ ｔｏ ｖａｌｖｅ＝Ｃｉ）されるため、スイングジョイスティック１０の操作信号値によりスイングバルブの開弁が決定される。すなわち、制御部１１からの制御信号により左側方向のソレノイドバルブ１３を切り換えるため、上部旋回体のスイング駆動が左側方向に行われる。
【００３６】
このように左側方向のスイングジョイスティック１０の操作により操作信号値が制御部１１に入力されると、制御部１１から右側方向のソレノイドバルブ１４に制御信号は出力されない（ｓｗｉｎｇ ｒｉｇｈｔ ｊｏｙｓｔｉｃｋ ｃｏｍｍａｎｄ ｔｏ ｖａｌｖｅ＝０）。
【００３７】
これと同時に、ブームアップジョイスティックを操作するときにブームアップソレノイドバルブ１６の優先機能により、スイングジョイスティックを操作してブームアップソレノイドバルブ１６に制御信号圧を入力するときよりも、ブームアップジョイスティックの操作量に応じて相対的により多くの制御信号圧を入力することができる。このとき、運転者の安全を考慮して、ブームアップジョイスティックを操作するときにも、ブームアップソレノイドバルブ１６に制御信号圧入力が遮断されるように設定することができる。
【００３８】
これにより、左側方向のスイングジョイスティック１０の操作信号値によりブームアップバルブの開弁が決定される。すなわち、制御部１１からブームアップソレノイドバルブ１６に入力される制御信号によりブームアップ駆動する。
【００３９】
Ｓ６００に示すように、ブームシリンダーの駆動によりブームアップ駆動と、スイングモーター駆動により上部旋回体のスイング駆動が同時に行われる。このとき、ブームアップの高さが所望のダンピングの高さに達するか否か（ｂｏｏｍ−ｕｐ ｈｅｉｇｈｔ≧Ｈｔａｒｇｅｔ）を判断して、ブームアップの高さがダンピングの高さに達する場合「Ｓ７００」に移行し、ブームアップの高さがダンピングの高さに達しない場合「Ｓ５００」に移行する。
【００４０】
Ｓ７００に示すように、ブームアップジョイスティック操作信号が制御部１１に入力されると、制御部１１からブームアップソレノイドバルブ１６に制御信号が遮断されて（ｂｏｏｍ−ｕｐ ｊｏｙｓｔｉｃｋ ｃｏｍｍａｎｄ ｔｏ ｖａｌｖｅ＝０）ブームアップ駆動はそれ以上行われない。また、右側方向のスイングジョイスティック１２の操作信号はスイングバルブに対して遮断される（ｓｗｉｎｇ ｒｉｇｈｔ ｊｏｙｓｔｉｃｋ ｃｏｍｍａｎｄ ｔｏ ｖａｌｖｅ＝０）。
【００４１】
このとき、左側方向のスイングジョイスティック１０の操作信号値（ｓｗｉｎｇ ｌｅｆｔ ｊｏｙｓｔｉｃｋ ｃｏｍｍａｎｄ ｔｏ ｖａｌｖｅ＝Ｅｉ）によりスイングバルブの開弁が決定される。すなわち、制御部１１から左側方向のソレノイドバルブ１３に入力される制御信号により上部旋回体を左側方向にスイング駆動する。
【００４２】
上述したように、左側方向のスイングジョイスティック１０の操作信号により左側方向に上部旋回体のスイング駆動と、ブームアップ駆動が同時に行われてブームアップの高さが設定されたダンピングの高さに達する。このとき、ブームアップ駆動は停止され、上部旋回体をダンピング位置にスイングさせて掘削した土砂物をダンプトラックなどの積載箱に積載することができる。
【００４３】
掘削した土砂物を積載箱に積載した後、再び土を掘り込む掘込み作業のために上部旋回体のスイング駆動とブームダウン（ｂｏｏｍ−ｄｏｗｎ）駆動によりバケットを掘込み位置に移動する。すなわち、掘削した土砂物を積載箱に積載した後、土を再び掘り込む掘込み作業のために上部旋回体を、土砂物を積載するときとは反対方向に駆動することになる。このような動作は第６ステップ（Ｓ８００、Ｓ９００）により実現される。
【００４４】
Ｓ８００に示すように、ダンピング時のスイング方向（左側方向をいう）とは反対方向（右側方向をいう）に上部旋回体をスイング駆動するように操作信号が入力される。左側方向のスイングジョイスティック１０の操作信号値が設定値Ａよりも小さく（ｓｗｉｎｇ ｌｅｆｔ ｊｏｙｓｔｉｃｋ ｃｏｍｍａｎｄ＜Ａ）、右側方向のスイングジョイスティック１２の操作信号値が設定値Ｂよりも大きい場合（ｓｗｉｎｇ ｒｉｇｈｔ ｊｏｙｓｔｉｃｋ ｃｏｍｍａｎｄ≧Ｂ）に「Ｓ９００」に移行する。
【００４５】
Ｓ９００に示すように、右側方向のスイングジョイスティック１２の操作による操作信号値が選定（ｓｗｉｎｇ ｒｉｇｈｔ ｊｏｙｓｔｉｃｋ ｃｏｍｍａｎｄ ｔｏ ｖａｌｖｅ＝Ｆｉ）されるため、右側方向のスイングジョイスティック１２の操作信号値によりスイングバルブの開弁が決定される。すなわち、制御部１１からの制御信号により右側方向のソレノイドバルブ１４を切り換えるため、上部旋回体のスイング駆動が右側方向に行われる。
【００４６】
このとき、右側方向のスイングジョイスティック１２の操作による操作信号値が制御部１１に入力されると、制御部１１からの制御信号は左側方向のソレノイドバルブ１３の信号を解除する（ｓｗｉｎｇ ｌｅｆｔ ｊｏｙｓｔｉｃｋ ｃｏｍｍａｎｄ ｔｏ ｖａｌｖｅ＝０）。
【００４７】
Ｓ２００において、半自動スイング方向を左側方向に設定することにより、スイングが左側スイング方向へのジョイスティックの入力に対して、ブームアップとスイングが同時に行われ、半自動スイング方向とは反対方向である右側方向へのスイングジョイスティックが操作されると、半自動スイング及びブームアップに対する制御信号が解除されるため、スイングとブームアップを二つの異なるジョイスティック操作により駆動することができる。
【００４８】
Ｓ１０００に示すように、スイングジョイスティックの操作信号と、ブームアップジョイスティックの操作信号値が設定値以下であるとき（すなわち、スイングジョイスティック操作信号が入力されないときをいう）、左側方向のスイングジョイスティック１０の操作信号値が設定値Ａよりも小さく（ｓｗｉｎｇ ｌｅｆｔ ｊｏｙｓｔｉｃｋ ｃｏｍｍａｎｄ＜Ａ）、右側方向のスイングジョイスティック１２の操作信号値が設定値Ｂよりも小さいとき（ｓｗｉｎｇ ｒｉｇｈｔ ｊｏｙｓｔｉｃｋ ｃｏｍｍａｎｄ＜Ｂ）に「Ｓ１１００」に移行する。
【００４９】
Ｓ１１００に示すように、左側方向のスイングジョイスティック１０の操作信号値が入力されないとき（ｓｗｉｎｇ ｌｅｆｔ ｊｏｙｓｔｉｃｋ ｃｏｍｍａｎｄ ｔｏ ｖａｌｖｅ＝０）、右側方向のスイングジョイスティック１２の操作信号値が入力されないとき（ｓｗｉｎｇ ｒｉｇｈｔ ｊｏｙｓｔｉｃｋ ｃｏｍｍａｎｄ ｔｏ ｖａｌｖｅ＝０）、ブームアップジョイスティックの操作信号値が入力されないとき（ｂｏｏｍ−ｕｐ ｊｏｙｓｔｉｃｋ ｃｏｍｍａｎｄ ｔｏ ｖａｌｖｅ＝０）に、ブームアップ駆動と上部旋回体のスイング駆動が両方とも停止状態を維持することになる。
【００５０】
図２は、本発明の一実施形態による建設機械用ダンプの駆動制御方法において、上部旋回体を右側方向にスイングさせてダンピング作業する過程を示すフローチャートである。
【００５１】
図２及び図３に示すように、運転者が掘削機の運転室内に設けられるモニタまたは操作ボタンなどの入力装置を操作して半自動ダンピングモードを設定する（ｓｅｔ ｓｅｍｉ−ａｕｔｏ ｄｕｍｐｉｎｇ ｍｏｄｅ＝ｏｎ）（Ｓ１００Ａ参照）。
【００５２】
Ｓ２００Ａに示すように、上部旋回体のスイング方向を設定可能な操作パネルにおいて、ダンピング作業のためのスイング方向が左側方向または右側方向の設定有無を決定するが、上部旋回体を右側方向にスイング駆動するように設定する場合（ｓｅｔ ｓｅｍｉ−ａｕｔｏ ｓｗｉｎｇ ｄｉｒｅｃｔｉｏｎ＝ｒｉｇｈｔ）「Ｓ３００Ａ」に移行し、上部旋回体を左側方向にスイング駆動するように設定する場合（ｓｅｔ ｓｅｍｉ−ａｕｔｏ ｓｗｉｎｇ ｄｉｒｅｃｔｉｏｎ＝ｌｅｆｔ）は「Ｓ１２００Ａ」に移行する。
【００５３】
Ｓ３００Ａに示すように、ブームアップの高さを所望のダンピングの高さＨｔａｒｇｅｔに設定する（ｓｅｔ ｂｏｏｍ−ｕｐ ｈｅｉｇｈｔ＝Ｈｔａｒｇｅｔ）。
【００５４】
これにより、半自動ダンピング作業のための全てのモードの設定が完了する。
【００５５】
Ｓ４００Ａに示すように、運転者の右側方向のスイングジョイスティック１２の操作により制御部１１に入力される操作信号値が設定値Ｂよりも大きい場合（ｓｗｉｎｇ ｒｉｇｈｔ ｊｏｙｓｔｉｃｋ ｃｏｍｍａｎｄ≧Ｂ）と、左側方向のスイングジョイスティック１０の操作により制御部１１に入力される操作信号値が設定値Ａよりも小さい場合（ｓｗｉｎｇ ｌｅｆｔ ｊｏｙｓｔｉｃｋ ｃｏｍｍａｎｄ＜Ａ）に「Ｓ５００Ａ」に移行する。
【００５６】
Ｓ５００Ａに示すように、右側方向のスイングジョイスティック１２の操作による操作信号値が選定（ｓｗｉｎｇ ｒｉｇｈｔ ｊｏｙｓｔｉｃｋ ｃｏｍｍａｎｄ ｔｏ ｖａｌｖｅ＝Ｃｉ）されるため、右側方向のスイングジョイスティック１２の操作信号値によりスイングバルブの開弁が決定される。すなわち、制御部１１からの制御信号により右側方向のソレノイドバルブ１４を切り換えるため、上部旋回体のスイング駆動が右側方向に行われる。
【００５７】
このように右側方向のスイングジョイスティック１２の操作による操作信号値が制御部１１に入力されると、制御部１１から左側方向のソレノイドバルブ１３に制御信号は出力されない（ｓｗｉｎｇ ｌｅｆｔ ｊｏｙｓｔｉｃｋ ｃｏｍｍａｎｄ ｔｏ ｖａｌｖｅ＝０）。
【００５８】
これと同時に、ブームアップジョイスティックを操作するときにブームアップソレノイドバルブ１６の優先機能により、スイングジョイスティックを操作してブームアップソレノイドバルブ１６に制御信号圧を入力するときよりも、ブームアップジョイスティックの操作量に応じて相対的により多くの制御信号圧を入力することができる。このとき、運転者の安全を考慮して、ブームアップジョイスティックを操作するときにもブームアップソレノイドバルブ１６に制御信号圧入力が遮断されるように設定することができる。これにより、右側方向のスイングジョイスティック１２の操作信号値によりブームアップバルブの開弁が決定される。すなわち、制御部１１からブームアップソレノイドバルブ１６に入力される制御信号によりブームアップ駆動する。
【００５９】
Ｓ６００Ａに示すように、ブームシリンダー駆動によりブームアップ駆動と、スイングモーター駆動により上部旋回体のスイング駆動が同時に行われる。このとき、ブームアップの高さが所望のダンピングの高さに達するか否か（ｂｏｏｍ−ｕｐ ｈｅｉｇｈｔ≧Ｈｔａｒｇｅｔ）を判断して、ブームアップの高さが所望のダンピングの高さに達する場合「Ｓ７００Ａ」に移行し、ブームアップの高さが所望のダンピングの高さに達しない場合「Ｓ５００Ａ」に移行する。
【００６０】
Ｓ７００Ａに示すように、ブームアップジョイスティック操作信号が制御部１１に入力されると、制御部１１からブームアップソレノイドバルブ１６に制御信号が遮断されて（ｂｏｏｍ−ｕｐ ｊｏｙｓｔｉｃｋ ｃｏｍｍａｎｄ ｔｏ ｖａｌｖｅ＝０）ブームアップ駆動はそれ以上行われない。なお、左側方向のスイングジョイスティック１０の操作信号はスイングバルブに対して遮断される（ｓｗｉｎｇ ｌｅｆｔ ｊｏｙｓｔｉｃｋ ｃｏｍｍａｎｄ ｔｏ  ｖａｌｖｅ＝０）。
【００６１】
このとき、右側方向のスイングジョイスティック１２の操作信号値（ｓｗｉｎｇ ｒｉｇｈｔ ｊｏｙｓｔｉｃｋ ｃｏｍｍａｎｄ ｔｏ ｖａｌｖｅ＝Ｅｉ）によりスイングバルブの開弁が決定される。すなわち、制御部１１から右側方向のソレノイドバルブ１４に入力される制御信号により上部旋回体を右側方向にスイング駆動する。
【００６２】
上述したように、右側方向のスイングジョイスティック１２の操作信号により右側方向に上部旋回体のスイング駆動と、ブームアップ駆動が同時に行われてブームアップの高さが設定されたダンピングの高さに達する。このとき、ブームアップ駆動は停止され、上部旋回体をダンピング位置にスイングさせて掘削した土砂物をダンプトラックなどの積載箱に積載することができる。
【００６３】
掘削した土砂物を積載箱に積載した後、再び土を掘り込む掘込み作業のために上部旋回体のスイング駆動とブームダウン（ｂｏｏｍ−ｄｏｗｎ）駆動によりバケットを掘込み位置に移動することになる。すなわち、掘削した土砂物を積載箱に積載した後、土を再び掘り込む掘込み作業のために上部旋回体を、土砂物を積載する場合とは反対方向に駆動することになる。このような動作は、第６ステップ（Ｓ８００Ａ、Ｓ９００Ａ）により実現される。
【００６４】
Ｓ８００Ａに示すように、ダンピング時のスイング方向（右側方向をいう）とは反対方向（左側方向をいう）に上部旋回体をスイング駆動するように操作信号が入力される。右側方向のスイングジョイスティック１２の操作信号値が設定値Ｂよりも小さく（ｓｗｉｎｇ ｒｉｇｈｔ ｊｏｙｓｔｉｃｋ ｃｏｍｍａｎｄ＜Ｂ）、左側方向のスイングジョイスティック１０の操作信号値が設定値Ａよりも大きな場合（ｓｗｉｎｇ ｒｉｇｈｔ ｊｏｙｓｔｉｃｋ ｃｏｍｍａｎｄ≧Ａ）に「Ｓ９００Ａ」に移行する。
【００６５】
Ｓ９００Ａに示すように、左側方向のスイングジョイスティック１０の操作による操作信号値が選定（ｓｗｉｎｇ ｌｅｆｔ ｊｏｙｓｔｉｃｋ ｃｏｍｍａｎｄ ｔｏ  ｖａｌｖｅ＝Ｆｉ）されるため、左側方向のスイングジョイスティック１０の操作信号値によりスイングバルブの開弁が決定される。
【００６６】
すなわち、制御部１１からの制御信号により左側方向のソレノイドバルブ１３を切り換えるため、上部旋回体のスイング駆動が左側方向に行われる。
【００６７】
このとき、左側方向のスイングジョイスティック１２の操作による操作信号値が制御部１１に入力されると、制御部１１からの制御信号は右側方向のソレノイドバルブ１３の信号を解除する（ｓｗｉｎｇ ｒｉｇｈｔ ｊｏｙｓｔｉｃｋ ｃｏｍｍａｎｄ ｔｏ ｖａｌｖｅ＝０）。
【００６８】
Ｓ２００Ａにおいて、半自動スイング方向を右側方向に設定することにより、スイングが右側スイング方向へのジョイスティックの入力に対して、ブームアップとスイングが同時に行われ、半自動スイング方向とは反対方向である左側方向へのスイングジョイスティックが操作されると、半自動スイング及びブームアップに対する制御信号が解除されるため、スイングとブームアップを二つの異なるジョイスティック操作により駆動することができる。
【００６９】
Ｓ１０００Ａに示すように、スイングジョイスティックの操作信号と、ブームアップジョイスティックの操作信号値が設定値以下であるとき（すなわち、スイングジョイスティックの操作信号が入力されないときをいう）、右側方向のスイングジョイスティック１２の操作信号値が設定値Ｂよりも小さく（ｓｗｉｎｇ ｒｉｇｈｔ ｊｏｙｓｔｉｃｋ ｃｏｍｍａｎｄ＜Ｂ）、左側方向のスイングジョイスティック１０の操作信号値が設定値Ａよりも小さなとき（ｓｗｉｎｇ ｌｅｆｔ ｊｏｙｓｔｉｃｋ  ｃｏｍｍａｎｄ＜Ａ）に「Ｓ１１００Ａ」に移行する。
【００７０】
Ｓ１１００Ａに示すように、右側方向のスイングジョイスティック１２の操作信号値が入力されないとき（ｓｗｉｎｇ ｒｉｇｈｔ ｊｏｙｓｔｉｃｋ ｃｏｍｍａｎｄ ｔｏ  ｖａｌｖｅ＝０）、左側方向のスイングジョイスティック１０の操作信号値が入力されないとき（ｓｗｉｎｇ ｌｅｆｔ ｊｏｙｓｔｉｃｋ ｃｏｍｍａｎｄ ｔｏ ｖａｌｖｅ＝０）、ブームアップジョイスティックの操作信号値が入力されないとき（ｂｏｏｍ−ｕｐ  ｊｏｙｓｔｉｃｋ ｃｏｍｍａｎｄ ｔｏ ｖａｌｖｅ＝０）に、ブームアップ駆動と上部旋回体のスイング駆動が両方とも停止状態を維持することになる。
【００７１】
上述した構成を有する本発明によれば、ダンピング作業時にスイングジョイスティックの操作によりブームアップ及びスイング作業を同時に行って操作の利便性を提供する。ダンピング作業のためのジョイスティックを操作するときに高度の集中力を必要としないので運転者の疲労度を低減することができる。ダンピング作業時に運転者が希望する正確なブームアップの高さの設定が可能であり、設定が終われば、スイングジョイスティックの操作だけでダンピング位置に容易に達することができる。
【符号の説明】
【００７２】
１０  左側方向のスイングジョイスティック
１１  制御部
１２  右側方向のスイングジョイスティック
１３  左側方向のソレノイドバルブ
１４  右側方向のソレノイドバルブ
１５  ブームポジションセンサ
１６  ブームアップソレノイドバルブ
【図１】
2015503689.tif 000002
【図２】
2015503689.tif 000003
【図３】
2015503689.tif 000004
【手続補正書】
【提出日】平成26年1月4日(2014.1.4)
【手続補正１】
【補正対象書類名】明細書
【補正対象項目名】全文
【補正方法】変更
【補正の内容】
【発明の詳細な説明】
【技術分野】
【０００１】
本発明は、建設機械用ダンプの駆動制御方法に係り、さらに詳しくは、掘削機のダンピング作業に際して、スイングジョイスティック（ＲＣＶ ｌｅｖｅｒ）の操作によりブームアップ（ｂｏｏｍ−ｕｐ）及びスイング作業を同時に行って操作性を向上させることのできる建設機械用ダンプの駆動制御方法に関する。
【背景技術】
【０００２】
一般に、掘削機の掘削作業の一部分を占めるダンピング作業を行う際、土を掘り込む掘込み（ｄｉｇｇｉｎｇ）作業が終了し、掘削した土砂物をダンプトラックなどの積載箱に積載するためにダンピング位置まで上部旋回体をスイングさせる。すなわち、上部旋回体のスイングとブームアップのジョイスティックをほぼ同時にそれぞれ操作しながら、ダンピング位置に達するためにスイング角とブームアップの高さを調整することになる。
【０００３】
すなわち、ダンピング作業に際して、運転者は一方の手でスイングジョイスティックを操作し、もう一方の手ではブームアップジョイスティックを操作しながらダンピングの位置と高さを同時に判断するため格別な注意が必要である。これにより、掘削された土砂物をダンピング位置に到達させるためにスイングジョイスティックを操作し、これと同時に、積載箱に対するダンピングの高さを合わせるためにブームアップジョイスティックを操作するため運転者は多くの注意を払うことになる。
【０００４】
例えば、ダンピング位置が運転者の視野角から外れると、ある程度のスイング駆動を行って運転者の視野角内に入ってきた場合にのみブームアップ駆動により正確なダンピング位置を合わせることが可能になる。
【０００５】
このように、ダンピング作業に際して、スイング角とブームアップの高さを合わせて円滑な作業が行われるようにスイングジョイスティックとブームジョイスティックをそれぞれ別々に操作してダンピング位置を確認し、これらのジョイスティックを操作するときに運転者の集中力が必要とされるため運転者の疲労度を増大させる。
【０００６】
また、ダンピング作業を行う間に、積載箱に対するダンピングの高さが合わないと、ブームアップジョイスティックの操作により再びダンピングの高さを合わせるため、作業時間が延びて作業能率が低下するという問題点を有する。
【発明の概要】
【発明が解決しようとする課題】
【０００７】
本発明の課題は、ダンピング作業に際して、スイングジョイスティックの操作によりブームアップ動作及びスイング駆動を同時に行って運転者に操作の利便性を与え、ジョイスティックを操作するときに高度の集中力を必要としないことから運転者の疲労度を低減することのできる建設機械用ダンプの駆動制御方法を提供することである。
【０００８】
本発明の他の課題は、運転者が希望するブームアップの高さを正確に設定して作業することから、ダンピング作業を正確且つ迅速に行って作業性を向上させることのできる建設機械用ダンプの駆動制御方法を提供することである。
【課題を解決するための手段】
【０００９】
本発明の一実施形態による建設機械用ダンプの駆動制御方法は、下部走行体と、下部走行体に搭載され、スイングジョイスティックの操作により旋回される上部旋回体と、上部旋回体に取り付けられる運転室（キャブ）及びエンジン室と、上部旋回体の先端に固定され、作業装置ジョイスティックの操作により駆動されるブーム、アーム、バケットなどの作業装置と、を備える建設機械用ダンプの駆動制御方法において、
入力装置の操作により半自動ダンピングモードを設定する第１ステップと、
ダンピング作業のための上部旋回体のスイング方向と、ブームアップのダンピングの高さを設定する第２ステップと、
左側及び右側方向の前記スイングジョイスティックを操作する際、その操作量に応じて制御部にそれぞれ入力される操作信号値と、前記スイングジョイスティックの操作量を鑑みて前記制御部に予め設定された設定値との比較で大小を判断して前記上部旋回体のスイング方向を決定する第３ステップと、
第３ステップにより決定されたスイング方向のスイングジョイスティックの操作信号値により当該スイングバルブを制御し、スイングジョイスティックの操作による操作信号値によりブームアップを駆動する第４ステップと、
ブームアップの高さが設定されたダンピングの高さに達するとブームアップ駆動は停止され、スイングジョイスティックの操作信号値により上部旋回体をダンピング位置にスイングさせる第５ステップと、
第３ステップにより決定された上部旋回体のスイング方向とは反対方向に上部旋回体がスイングするように、スイングジョイスティックの操作信号値により当該スイングバルブを駆動する第６ステップと、
スイングジョイスティックの操作信号値が入力されないとブームアップとスイング駆動を停止する第７ステップと、を含む。 
【００１０】
本発明の好適な実施形態によれば、上述した第１ステップにおいて、入力装置として運転室内に設けられるモニタが用いられてもよい
【００１１】
上述した第２ステップにおけるブームアップダンピングの高さは、運転室内に設けられるモニタにより設定及び変更することができる。 
【００１２】
上述した第２ステップにおけるブームアップダンピングの高さは、運転室内に設けられる操作ボタンにより設定及び変更することができる。
【００１３】
上述した第１ステップにおいて、入力装置として運転室内に設けられる操作ボタンが用いられてもよい。
【００１４】
上述した第４ステップにおいて、ブームアップ駆動のためにブームアップジョイスティックを操作しないときにも、ブームのポジションがフィードバックされて設定されたダンピング位置にアップ駆動するように制御することができる。
【００１５】
上述した半自動ダンピング作業を実行するために作業装置を駆動させるブームシリンダーポジションが常に設定された位置に求められるとき、運転者の要求に応じてブームシリンダーポジションの設定及び変更が可能であり、他の作業装置の操作とは関係なくブームシリンダーのポジションを維持できるように制御することができる。
【００１６】
上述した半自動ダンピングモードが設定され、半自動スイング方向にスイングジョイスティックの操作によりスイング及びブームアップが同時に操作されるとき、ブームアップジョイスティックを操作するときにブームアップ優先機能が発揮されて、スイングジョイスティックの操作によりブームアップソレノイドバルブに制御信号圧を入力する場合に比べて、ブームアップジョイスティックの操作量に応じて相対的により多くの制御信号圧を入力可能なように構成されてもよい。
【００１７】
上述した半自動ダンピングモードが設定され、半自動スイング方向にスイングジョイスティックの操作によりスイング及びブームアップが同時に操作されるとき、ブームアップジョイスティックを操作する場合にもブームアップソレノイドバルブに制御信号圧入力が遮断されるように構成されてもよい。
【発明の効果】
【００１８】
上述したように構成される本発明の実施形態による建設機械用ダンプの駆動制御方法は、下記のメリットを有する。
【００１９】
掘削作業の一部であるダンピング作業時にスイングジョイスティックの操作によりブームアップ及びスイング作業を同時に行って運転者に操作の利便性を与え、ダンピング作業のためのジョイスティックを操作するときに高度の集中力を必要としないので、運転者の疲労度を低減することができる。
【００２０】
また、ダンピング作業時に運転者が希望する正確なブームアップの高さの設定が可能であり、設定が終われば、スイングジョイスティックの操作だけでダンピング位置に容易に達するので、ダンピング作業を速やかに行って作業性を向上させることができる。
【図面の簡単な説明】
【００２１】
【図１】本発明の一実施形態による建設機械用ダンプの駆動制御方法において、上部旋回体を左側方向にスイングさせてダンピング作業する過程を示すフローチャートである。
【図２】本発明の一実施形態による建設機械用ダンプの駆動制御方法において、上部旋回体を右側方向にスイングさせてダンピング作業する過程を示すフローチャートである。
【図３】本発明の一実施形態による建設機械用ダンプの駆動制御方法の制御部の概略図である。
【発明を実施するための形態】
【００２２】
以下、添付図面に基づき、本発明の好適な実施形態について詳述するが、これは本発明が属する技術分野において通常の知識を有する者が発明を容易に実施できる程度に詳細に説明するためのものであり、これにより本発明の技術的な思想及び範疇が限定されることはない。
【００２３】
図１及び図３に示す本発明の一実施形態による建設機械用ダンプの駆動制御方法は、
下部走行体と、下部走行体に搭載され、スイングジョイスティックの操作により旋回される上部旋回体と、上部旋回体に取り付けられる運転室及びエンジン室と、上部旋回体の先端に固定され、作業装置ジョイスティックの操作により駆動されるブーム、アーム、バケットなどの作業装置と、を備える建設機械用ダンプの駆動制御方法において、
入力装置の操作により半自動ダンピングモードを設定する（ｓｅｔ ｓｅｍｉ−ａｕｔｏ ｄｕｍｐｉｎｇ ｍｏｄｅ＝ｏｎ）第１ステップ（Ｓ１００）と、
ダンピング作業のための上部旋回体のスイング方向と、ブームアップのダンピングの高さを設定する第２ステップ（Ｓ２００、Ｓ３００）と、
左側及び右側方向の前記スイングジョイスティックを操作する際、その操作量に応じて制御部にそれぞれ入力される操作信号値と、前記スイングジョイスティックの操作量を鑑みて前記制御部に予め設定された設定値との比較で大小を判断して前記上部旋回体のスイング方向を決定する第３ステップ（Ｓ４００）、
第３ステップ（Ｓ４００）により決定されたスイング方向のスイングジョイスティックの操作信号値により当該スイングバルブを制御し、スイングジョイスティックの操作による操作信号値によりブームアップを駆動する第４ステップ（Ｓ５００）と、
ブームアップの高さが設定されたダンピングの高さに達するとブームアップ駆動は停止され、スイングジョイスティックの操作信号値により上部旋回体をダンピング位置にスイングさせる第５ステップ（Ｓ６００、Ｓ７００）と、
第３ステップ（Ｓ４００）により決定された上部旋回体のスイング方向とは反対方向に上部旋回体がスイングさせるように、スイングジョイスティックの操作信号値により当該スイングバルブを駆動する第６ステップ（Ｓ８００、Ｓ９００）と、
第６ステップ（Ｓ８００、Ｓ９００）により決定されたスイング方向のスイングジョイスティックの操作信号値が入力されず、その反対のスイング方向に操作信号値が入力されると、その反対のスイング方向に入力される操作信号値によりスイング駆動を制御する第７ステップ（Ｓ１０００、Ｓ１１００）と、を含む。そして、ブームアップとＳ２００において、運転者が決定したスイング方向への駆動は解放される（Ｓ１０００、Ｓ１１００）。
【００２４】
このとき、上述した第１ステップ（Ｓ１００）において、入力装置として運転室内に設けられるモニタまたは操作ボタンが用いられてもよい。
【００２５】
上述した第２ステップ（Ｓ２００、Ｓ３００）におけるブームアップダンピングの高さは、運転室内に設けられるモニタまたは操作ボタンにより設定及び変更することができる。
【００２６】
上述した第４ステップ（Ｓ５００）において、ブームアップ駆動のためにブームアップジョイスティックを操作しないときにも、ブームのポジションがフィードバックされて設定されたダンピング位置にアップ駆動するように制御することができる。
【００２７】
上述した半自動ダンピング作業を実行するために作業装置を駆動させるブームシリンダーポジションが常に設定された位置に求められるとき、運転者の要求に応じてブームシリンダーポジションの設定及び変更が可能であり、他の作業装置（アーム、バケットをいう）の操作とは関係なくブームシリンダーのポジションを維持できるように制御することができる。
【００２８】
以下、添付図面に基づき、本発明の好適な実施形態による建設機械用ダンプの駆動制御方法の使用例について詳細に説明する。
【００２９】
図１は、本発明の一実施形態による建設機械用ダンプの駆動制御方法において、上部旋回体を左側方向にスイングさせてダンピング作業する過程を示すフローチャートである。
【００３０】
図１及び図３に示すように、運転者が掘削機の運転室内に設けられるモニタまたは操作ボタンなどの入力装置を操作して半自動ダンピングモードを設定する（ｓｅｔ ｓｅｍｉ−ａｕｔｏ ｄｕｍｐｉｎｇ ｍｏｄｅ＝ｏｎ）。これにより、スイングジョイスティックの操作により上部旋回体のスイングと、ブームアップ駆動を同時に行う作業モードを設定することになる（Ｓ１００参照）。
【００３１】
Ｓ２００に示すように、上部旋回体のスイング方向を設定可能な操作パネルにおいて、ダンピング作業のためのスイング方向が左側方向または右側方向の設定有無を決定するが、上部旋回体を左側方向にスイング駆動させるように設定する場合（ｓｅｔ ｓｅｍｉ−ａｕｔｏ ｓｗｉｎｇ ｄｉｒｅｃｔｉｏｎ＝ｌｅｆｔ）「Ｓ３００」に移行し、上部旋回体を右側方向にスイング駆動させるように設定する場合（ｓｅｔ ｓｅｍｉ−ａｕｔｏ ｓｗｉｎｇ ｄｉｒｅｃｔｉｏｎ＝ｒｉｇｈｔ）は「Ｓ１２００」に移行する。
【００３２】
Ｓ３００に示すように、ブームアップの高さを所望のダンピングの高さＨｔａｒｇｅｔに設定する（ｓｅｔ ｂｏｏｍ−ｕｐ ｈｅｉｇｈｔ＝Ｈｔａｒｇｅｔ）。
【００３３】
これにより、半自動ダンピング作業のための全てのモードの設定が完了する。
【００３４】
Ｓ４００に示すように、運転者により左側方向のスイングジョイスティック１０を操作する際、その操作量に応じて制御部１１に入力される操作信号値が制御部１１に予め設定された設定値Ａよりも大きい場合（ｓｗｉｎｇ ｌｅｆｔ ｊｏｙｓｔｉｃｋ ｃｏｍｍａｎｄ≧Ａ）と、右側方向のスイングジョイスティック１２を操作する際、その操作量に応じて制御部１１に入力される操作信号値が制御部１１に予め設定された設定値Ｂよりも小さい場合（ｓｗｉｎｇ ｒｉｇｈｔ ｊｏｙｓｔｉｃｋ ｃｏｍｍａｎｄ＜Ｂ）に、「Ｓ５００」に移行する。
【００３５】
Ｓ５００に示すように、左側方向のスイングジョイスティック１０の操作による操作信号値が選定（ｓｗｉｎｇ ｌｅｆｔ ｊｏｙｓｔｉｃｋ ｃｏｍｍａｎｄ ｔｏ ｖａｌｖｅ＝Ｃｉ）されるため、スイングジョイスティック１０の操作信号値によりスイングバルブの開弁が決定される。すなわち、制御部１１からの制御信号により左側方向のソレノイドバルブ１３を切り換えるため、上部旋回体のスイング駆動が左側方向に行われる。
【００３６】
このように左側方向のスイングジョイスティック１０の操作により操作信号値が制御部１１に入力されると、制御部１１から右側方向のソレノイドバルブ１４に制御信号は出力されない（ｓｗｉｎｇ ｒｉｇｈｔ ｊｏｙｓｔｉｃｋ ｃｏｍｍａｎｄ ｔｏ ｖａｌｖｅ＝０）。
【００３７】
これと同時に、ブームアップジョイスティックを操作するときにブームアップソレノイドバルブ１６の優先機能により、スイングジョイスティックを操作してブームアップソレノイドバルブ１６に制御信号圧を入力するときよりも、ブームアップジョイスティックの操作量に応じて相対的により多くの制御信号圧を入力することができる。このとき、運転者の安全を考慮して、ブームアップジョイスティックを操作するときにも、ブームアップソレノイドバルブ１６に制御信号圧入力が遮断されるように設定することができる。
【００３８】
これにより、左側方向のスイングジョイスティック１０の操作信号値によりブームアップバルブの開弁が決定される。すなわち、制御部１１からブームアップソレノイドバルブ１６に入力される制御信号によりブームアップ駆動する。
【００３９】
Ｓ６００に示すように、ブームシリンダーの駆動によりブームアップ駆動と、スイングモーター駆動により上部旋回体のスイング駆動が同時に行われる。このとき、ブームアップの高さが所望のダンピングの高さに達するか否か（ｂｏｏｍ−ｕｐ ｈｅｉｇｈｔ≧Ｈｔａｒｇｅｔ）を判断して、ブームアップの高さがダンピングの高さに達する場合「Ｓ７００」に移行し、ブームアップの高さがダンピングの高さに達しない場合「Ｓ５００」に移行する。
【００４０】
Ｓ７００に示すように、ブームアップジョイスティック操作信号が制御部１１に入力されると、制御部１１からブームアップソレノイドバルブ１６に制御信号が遮断されて（ｂｏｏｍ−ｕｐ ｊｏｙｓｔｉｃｋ ｃｏｍｍａｎｄ ｔｏ ｖａｌｖｅ＝０）ブームアップ駆動はそれ以上行われない。また、右側方向のスイングジョイスティック１２の操作信号はスイングバルブに対して遮断される（ｓｗｉｎｇ ｒｉｇｈｔ ｊｏｙｓｔｉｃｋ ｃｏｍｍａｎｄ ｔｏ ｖａｌｖｅ＝０）。
【００４１】
このとき、左側方向のスイングジョイスティック１０の操作信号値（ｓｗｉｎｇ ｌｅｆｔ ｊｏｙｓｔｉｃｋ ｃｏｍｍａｎｄ ｔｏ ｖａｌｖｅ＝Ｅｉ）によりスイングバルブの開弁が決定される。すなわち、制御部１１から左側方向のソレノイドバルブ１３に入力される制御信号により上部旋回体を左側方向にスイング駆動する。
【００４２】
上述したように、左側方向のスイングジョイスティック１０の操作信号により左側方向に上部旋回体のスイング駆動と、ブームアップ駆動が同時に行われてブームアップの高さが設定されたダンピングの高さに達する。このとき、ブームアップ駆動は停止され、上部旋回体をダンピング位置にスイングさせて掘削した土砂物をダンプトラックなどの積載箱に積載することができる。
【００４３】
掘削した土砂物を積載箱に積載した後、再び土を掘り込む掘込み作業のために上部旋回体のスイング駆動とブームダウン（ｂｏｏｍ−ｄｏｗｎ）駆動によりバケットを掘込み位置に移動する。すなわち、掘削した土砂物を積載箱に積載した後、土を再び掘り込む掘込み作業のために上部旋回体を、土砂物を積載するときとは反対方向に駆動することになる。このような動作は第６ステップ（Ｓ８００、Ｓ９００）により実現される。
【００４４】
Ｓ８００に示すように、ダンピング時のスイング方向（左側方向をいう）とは反対方向（右側方向をいう）に上部旋回体をスイング駆動するように操作信号が入力される。左側方向のスイングジョイスティック１０を操作する際、その操作量に応じて制御部１１に入力される操作信号値が制御部１１に予め設定された設定値Ａよりも小さく（ｓｗｉｎｇ ｌｅｆｔ ｊｏｙｓｔｉｃｋ ｃｏｍｍａｎｄ＜Ａ）、右側方向のスイングジョイスティック１２を操作する際、その操作量に応じて制御部１１に入力される操作信号値が制御部１１に予め設定された設定値Ｂよりも大きい場合（ｓｗｉｎｇ ｒｉｇｈｔ ｊｏｙｓｔｉｃｋ ｃｏｍｍａｎｄ≧Ｂ）に「Ｓ９００」に移行する。
【００４５】
Ｓ９００に示すように、右側方向のスイングジョイスティック１２の操作による操作信号値が選定（ｓｗｉｎｇ ｒｉｇｈｔ ｊｏｙｓｔｉｃｋ ｃｏｍｍａｎｄ ｔｏ ｖａｌｖｅ＝Ｆｉ）されるため、右側方向のスイングジョイスティック１２の操作信号値によりスイングバルブの開弁が決定される。すなわち、制御部１１からの制御信号により右側方向のソレノイドバルブ１４を切り換えるため、上部旋回体のスイング駆動が右側方向に行われる。
【００４６】
このとき、右側方向のスイングジョイスティック１２の操作による操作信号値が制御部１１に入力されると、制御部１１からの制御信号は左側方向のソレノイドバルブ１３の信号を解除する（ｓｗｉｎｇ ｌｅｆｔ ｊｏｙｓｔｉｃｋ ｃｏｍｍａｎｄ ｔｏ ｖａｌｖｅ＝０）。
【００４７】
Ｓ２００において、半自動スイング方向を左側方向に設定することにより、スイングが左側スイング方向へのジョイスティックの入力に対して、ブームアップとスイングが同時に行われ、半自動スイング方向とは反対方向である右側方向へのスイングジョイスティックが操作されると、半自動スイング及びブームアップに対する制御信号が解除されるため、スイングとブームアップを二つの異なるジョイスティック操作により駆動することができる。
【００４８】
Ｓ１０００に示すように、スイングジョイスティックの操作信号と、ブームアップジョイスティックの操作信号値が設定値以下であるとき（すなわち、スイングジョイスティック操作信号が入力されないときをいう）、左側方向のスイングジョイスティック１０の操作信号値が設定値Ａよりも小さく（ｓｗｉｎｇ ｌｅｆｔ ｊｏｙｓｔｉｃｋ ｃｏｍｍａｎｄ＜Ａ）、右側方向のスイングジョイスティック１２の操作信号値が設定値Ｂよりも小さいとき（ｓｗｉｎｇ ｒｉｇｈｔ ｊｏｙｓｔｉｃｋ ｃｏｍｍａｎｄ＜Ｂ）に「Ｓ１１００」に移行する。
【００４９】
Ｓ１１００に示すように、左側方向のスイングジョイスティック１０の操作信号値が入力されないとき（ｓｗｉｎｇ ｌｅｆｔ ｊｏｙｓｔｉｃｋ ｃｏｍｍａｎｄ ｔｏ ｖａｌｖｅ＝０）、右側方向のスイングジョイスティック１２の操作信号値が入力されないとき（ｓｗｉｎｇ ｒｉｇｈｔ ｊｏｙｓｔｉｃｋ ｃｏｍｍａｎｄ ｔｏ ｖａｌｖｅ＝０）、ブームアップジョイスティックの操作信号値が入力されないとき（ｂｏｏｍ−ｕｐ ｊｏｙｓｔｉｃｋ ｃｏｍｍａｎｄ ｔｏ ｖａｌｖｅ＝０）に、ブームアップ駆動と上部旋回体のスイング駆動が両方とも停止状態を維持することになる。
【００５０】
図２は、本発明の一実施形態による建設機械用ダンプの駆動制御方法において、上部旋回体を右側方向にスイングさせてダンピング作業する過程を示すフローチャートである。
【００５１】
図２及び図３に示すように、運転者が掘削機の運転室内に設けられるモニタまたは操作ボタンなどの入力装置を操作して半自動ダンピングモードを設定する（ｓｅｔ ｓｅｍｉ−ａｕｔｏ ｄｕｍｐｉｎｇ ｍｏｄｅ＝ｏｎ）（Ｓ１００Ａ参照）。
【００５２】
Ｓ２００Ａに示すように、上部旋回体のスイング方向を設定可能な操作パネルにおいて、ダンピング作業のためのスイング方向が左側方向または右側方向の設定有無を決定するが、上部旋回体を右側方向にスイング駆動するように設定する場合（ｓｅｔ ｓｅｍｉ−ａｕｔｏ ｓｗｉｎｇ ｄｉｒｅｃｔｉｏｎ＝ｒｉｇｈｔ）「Ｓ３００Ａ」に移行し、上部旋回体を左側方向にスイング駆動するように設定する場合（ｓｅｔ ｓｅｍｉ−ａｕｔｏ ｓｗｉｎｇ ｄｉｒｅｃｔｉｏｎ＝ｌｅｆｔ）は「Ｓ１２００Ａ」に移行する。
【００５３】
Ｓ３００Ａに示すように、ブームアップの高さを所望のダンピングの高さＨｔａｒｇｅｔに設定する（ｓｅｔ ｂｏｏｍ−ｕｐ ｈｅｉｇｈｔ＝Ｈｔａｒｇｅｔ）。
【００５４】
これにより、半自動ダンピング作業のための全てのモードの設定が完了する。
【００５５】
Ｓ４００Ａに示すように、運転者の右側方向のスイングジョイスティック１２の操作により制御部１１に入力される操作信号値が設定値Ｂよりも大きい場合（ｓｗｉｎｇ ｒｉｇｈｔ ｊｏｙｓｔｉｃｋ ｃｏｍｍａｎｄ≧Ｂ）と、左側方向のスイングジョイスティック１０の操作により制御部１１に入力される操作信号値が設定値Ａよりも小さい場合（ｓｗｉｎｇ ｌｅｆｔ ｊｏｙｓｔｉｃｋ ｃｏｍｍａｎｄ＜Ａ）に「Ｓ５００Ａ」に移行する。
【００５６】
Ｓ５００Ａに示すように、右側方向のスイングジョイスティック１２の操作による操作信号値が選定（ｓｗｉｎｇ ｒｉｇｈｔ ｊｏｙｓｔｉｃｋ ｃｏｍｍａｎｄ ｔｏ ｖａｌｖｅ＝Ｃｉ）されるため、右側方向のスイングジョイスティック１２の操作信号値によりスイングバルブの開弁が決定される。すなわち、制御部１１からの制御信号により右側方向のソレノイドバルブ１４を切り換えるため、上部旋回体のスイング駆動が右側方向に行われる。
【００５７】
このように右側方向のスイングジョイスティック１２の操作による操作信号値が制御部１１に入力されると、制御部１１から左側方向のソレノイドバルブ１３に制御信号は出力されない（ｓｗｉｎｇ ｌｅｆｔ ｊｏｙｓｔｉｃｋ ｃｏｍｍａｎｄ ｔｏ ｖａｌｖｅ＝０）。
【００５８】
これと同時に、ブームアップジョイスティックを操作するときにブームアップソレノイドバルブ１６の優先機能により、スイングジョイスティックを操作してブームアップソレノイドバルブ１６に制御信号圧を入力するときよりも、ブームアップジョイスティックの操作量に応じて相対的により多くの制御信号圧を入力することができる。このとき、運転者の安全を考慮して、ブームアップジョイスティックを操作するときにもブームアップソレノイドバルブ１６に制御信号圧入力が遮断されるように設定することができる。これにより、右側方向のスイングジョイスティック１２の操作信号値によりブームアップバルブの開弁が決定される。すなわち、制御部１１からブームアップソレノイドバルブ１６に入力される制御信号によりブームアップ駆動する。
【００５９】
Ｓ６００Ａに示すように、ブームシリンダー駆動によりブームアップ駆動と、スイングモーター駆動により上部旋回体のスイング駆動が同時に行われる。このとき、ブームアップの高さが所望のダンピングの高さに達するか否か（ｂｏｏｍ−ｕｐ ｈｅｉｇｈｔ≧Ｈｔａｒｇｅｔ）を判断して、ブームアップの高さが所望のダンピングの高さに達する場合「Ｓ７００Ａ」に移行し、ブームアップの高さが所望のダンピングの高さに達しない場合「Ｓ５００Ａ」に移行する。
【００６０】
Ｓ７００Ａに示すように、ブームアップジョイスティック操作信号が制御部１１に入力されると、制御部１１からブームアップソレノイドバルブ１６に制御信号が遮断されて（ｂｏｏｍ−ｕｐ ｊｏｙｓｔｉｃｋ ｃｏｍｍａｎｄ ｔｏ ｖａｌｖｅ＝０）ブームアップ駆動はそれ以上行われない。なお、左側方向のスイングジョイスティック１０の操作信号はスイングバルブに対して遮断される（ｓｗｉｎｇ ｌｅｆｔ ｊｏｙｓｔｉｃｋ ｃｏｍｍａｎｄ ｔｏ  ｖａｌｖｅ＝０）。
【００６１】
このとき、右側方向のスイングジョイスティック１２の操作信号値（ｓｗｉｎｇ ｒｉｇｈｔ ｊｏｙｓｔｉｃｋ ｃｏｍｍａｎｄ ｔｏ ｖａｌｖｅ＝Ｅｉ）によりスイングバルブの開弁が決定される。すなわち、制御部１１から右側方向のソレノイドバルブ１４に入力される制御信号により上部旋回体を右側方向にスイング駆動する。
【００６２】
上述したように、右側方向のスイングジョイスティック１２の操作信号により右側方向に上部旋回体のスイング駆動と、ブームアップ駆動が同時に行われてブームアップの高さが設定されたダンピングの高さに達する。このとき、ブームアップ駆動は停止され、上部旋回体をダンピング位置にスイングさせて掘削した土砂物をダンプトラックなどの積載箱に積載することができる。
【００６３】
掘削した土砂物を積載箱に積載した後、再び土を掘り込む掘込み作業のために上部旋回体のスイング駆動とブームダウン（ｂｏｏｍ−ｄｏｗｎ）駆動によりバケットを掘込み位置に移動することになる。すなわち、掘削した土砂物を積載箱に積載した後、土を再び掘り込む掘込み作業のために上部旋回体を、土砂物を積載する場合とは反対方向に駆動することになる。このような動作は、第６ステップ（Ｓ８００Ａ、Ｓ９００Ａ）により実現される。
【００６４】
Ｓ８００Ａに示すように、ダンピング時のスイング方向（右側方向をいう）とは反対方向（左側方向をいう）に上部旋回体をスイング駆動するように操作信号が入力される。右側方向のスイングジョイスティック１２の操作信号値が設定値Ｂよりも小さく（ｓｗｉｎｇ ｒｉｇｈｔ ｊｏｙｓｔｉｃｋ ｃｏｍｍａｎｄ＜Ｂ）、左側方向のスイングジョイスティック１０の操作信号値が設定値Ａよりも大きな場合（ｓｗｉｎｇ ｒｉｇｈｔ ｊｏｙｓｔｉｃｋ ｃｏｍｍａｎｄ≧Ａ）に「Ｓ９００Ａ」に移行する。
【００６５】
Ｓ９００Ａに示すように、左側方向のスイングジョイスティック１０の操作による操作信号値が選定（ｓｗｉｎｇ ｌｅｆｔ ｊｏｙｓｔｉｃｋ ｃｏｍｍａｎｄ ｔｏ  ｖａｌｖｅ＝Ｆｉ）されるため、左側方向のスイングジョイスティック１０の操作信号値によりスイングバルブの開弁が決定される。
【００６６】
すなわち、制御部１１からの制御信号により左側方向のソレノイドバルブ１３を切り換えるため、上部旋回体のスイング駆動が左側方向に行われる。
【００６７】
このとき、左側方向のスイングジョイスティック１２の操作による操作信号値が制御部１１に入力されると、制御部１１からの制御信号は右側方向のソレノイドバルブ１３の信号を解除する（ｓｗｉｎｇ ｒｉｇｈｔ ｊｏｙｓｔｉｃｋ ｃｏｍｍａｎｄ ｔｏ ｖａｌｖｅ＝０）。
【００６８】
Ｓ２００Ａにおいて、半自動スイング方向を右側方向に設定することにより、スイングが右側スイング方向へのジョイスティックの入力に対して、ブームアップとスイングが同時に行われ、半自動スイング方向とは反対方向である左側方向へのスイングジョイスティックが操作されると、半自動スイング及びブームアップに対する制御信号が解除されるため、スイングとブームアップを二つの異なるジョイスティック操作により駆動することができる。
【００６９】
Ｓ１０００Ａに示すように、スイングジョイスティックの操作信号と、ブームアップジョイスティックの操作信号値が設定値以下であるとき（すなわち、スイングジョイスティックの操作信号が入力されないときをいう）、右側方向のスイングジョイスティック１２の操作信号値が設定値Ｂよりも小さく（ｓｗｉｎｇ ｒｉｇｈｔ ｊｏｙｓｔｉｃｋ ｃｏｍｍａｎｄ＜Ｂ）、左側方向のスイングジョイスティック１０の操作信号値が設定値Ａよりも小さなとき（ｓｗｉｎｇ ｌｅｆｔ ｊｏｙｓｔｉｃｋ  ｃｏｍｍａｎｄ＜Ａ）に「Ｓ１１００Ａ」に移行する。
【００７０】
Ｓ１１００Ａに示すように、右側方向のスイングジョイスティック１２の操作信号値が入力されないとき（ｓｗｉｎｇ ｒｉｇｈｔ ｊｏｙｓｔｉｃｋ ｃｏｍｍａｎｄ ｔｏ  ｖａｌｖｅ＝０）、左側方向のスイングジョイスティック１０の操作信号値が入力されないとき（ｓｗｉｎｇ ｌｅｆｔ ｊｏｙｓｔｉｃｋ ｃｏｍｍａｎｄ ｔｏ ｖａｌｖｅ＝０）、ブームアップジョイスティックの操作信号値が入力されないとき（ｂｏｏｍ−ｕｐ  ｊｏｙｓｔｉｃｋ ｃｏｍｍａｎｄ ｔｏ ｖａｌｖｅ＝０）に、ブームアップ駆動と上部旋回体のスイング駆動が両方とも停止状態を維持することになる。
【００７１】
上述した構成を有する本発明によれば、ダンピング作業時にスイングジョイスティックの操作によりブームアップ及びスイング作業を同時に行って操作の利便性を提供する。ダンピング作業のためのジョイスティックを操作するときに高度の集中力を必要としないので運転者の疲労度を低減することができる。ダンピング作業時に運転者が希望する正確なブームアップの高さの設定が可能であり、設定が終われば、スイングジョイスティックの操作だけでダンピング位置に容易に達することができる。
【符号の説明】
【００７２】
１０  左側方向のスイングジョイスティック
１１  制御部
１２  右側方向のスイングジョイスティック
１３  左側方向のソレノイドバルブ
１４  右側方向のソレノイドバルブ
１５  ブームポジションセンサ
１６  ブームアップソレノイドバルブ
【手続補正２】
【補正対象書類名】特許請求の範囲
【補正対象項目名】全文
【補正方法】変更
【補正の内容】
【特許請求の範囲】
【請求項１】
下部走行体と、前記下部走行体に搭載され、スイングジョイスティックの操作により旋回される上部旋回体と、前記上部旋回体に取り付けられる運転室（キャブ）及びエンジン室と、前記上部旋回体の先端に固定され、作業装置ジョイスティックの操作により駆動されるブーム、アーム、バケットなどの作業装置と、を備える建設機械用ダンプの駆動制御方法において、
入力装置の操作により半自動ダンピングモードを設定する第１ステップと、
ダンピング作業のための前記上部旋回体のスイング方向と、ブームアップのダンピングの高さを設定する第２ステップと、
左側及び右側方向の前記スイングジョイスティックを操作する際、その操作量に応じて制御部にそれぞれ入力される操作信号値と、前記スイングジョイスティックの操作量を鑑みて前記制御部に予め設定された設定値との比較で大小を判断して前記上部旋回体のスイング方向を決定する第３ステップと、
前記第３ステップにより決定されたスイング方向の前記スイングジョイスティックの操作信号値により当該スイングバルブを制御し、前記スイングジョイスティックの操作による操作信号値によりブームアップを駆動する第４ステップと、
前記ブームアップの高さが設定されたダンピングの高さに達するとブームアップ駆動は停止され、前記スイングジョイスティックの操作信号値により前記上部旋回体をダンピング位置にスイングさせる第５ステップと、
前記第３ステップにより決定された前記上部旋回体のスイング方向とは反対方向に前記上部旋回体がスイングさせるように、前記スイングジョイスティックの操作信号値により当該スイングバルブを駆動する第６ステップと、
前記スイングジョイスティックの操作信号値が入力されないと、ブームアップとスイング駆動を停止する第７ステップと、を含むすることを特徴とする建設機械用ダンプの駆動制御方法。
【請求項２】
前記第１ステップにおいて、入力装置として前記運転室内に設けられるモニタが用いられることを特徴とする請求項１に記載の建設機械用ダンプの駆動制御方法。
【請求項３】
前記第２ステップにおけるブームアップダンピングの高さは、前記運転室内に設けられるモニタにより設定及び変更することを特徴とする請求項１に記載の建設機械用ダンプの駆動制御方法。
【請求項４】
前記第２ステップにおけるブームアップダンピングの高さは、前記運転室内に設けられる操作ボタンにより設定及び変更することを特徴とする請求項１に記載の建設機械用ダンプの駆動制御方法。
【請求項５】
前記第１ステップにおいて、入力装置として前記運転室内に設けられる操作ボタンが用いられることを特徴とする請求項１に記載の建設機械用ダンプの駆動制御方法。
【請求項６】
前記第４ステップにおいて、ブームアップ駆動のためにブームアップジョイスティックを操作しない場合にも、ブームのポジションがフィードバックされて設定されたダンピング位置にアップ駆動するように制御することを特徴とする請求項１に記載の建設機械用ダンプの駆動制御方法。
【請求項７】
半自動ダンピング作業を実行するために作業装置を駆動させるブームシリンダーポジションが常に設定された位置に求められる場合、運転者の要求に応じてブームシリンダーポジションの設定及び変更が可能であり、他の作業装置の操作とは関係なくブームシリンダーのポジションを維持できるように制御することを特徴とする請求項１に記載の建設機械用ダンプの駆動制御方法。
【請求項８】
半自動ダンピングモードが設定され、半自動スイング方向に前記スイングジョイスティックの操作によりスイング及びブームアップが同時に操作されると、前記ブームアップジョイスティックを操作するときにブームアップ優先機能が発揮されて、前記スイングジョイスティックの操作によりブームアップソレノイドバルブに制御信号圧を入力するときに比べて、前記ブームアップジョイスティックの操作量に応じて相対的により多くの制御信号圧を入力可能なように構成されることを特徴とする請求項１に記載の建設機械用ダンプの駆動制御方法。
【請求項９】
前記半自動ダンピングモードが設定され、半自動スイング方向に前記スイングジョイスティックの操作によりスイング及びブームアップが同時に操作されると、前記ブームアップジョイスティックを操作するときにも前記ブームアップソレノイドバルブに制御信号圧入力が遮断されるように構成されることを特徴とする請求項１に記載の建設機械用ダンプの駆動制御方法。